(57)【要約】【課題】  貸付機能を持たせることにより、残高不足による取引の中断を回避できるようにする。【解決手段】          センタ３に個人情報記憶部３４を設けてＩＣカード１の利用者の先になされた貸付金額などを書き込み、ＩＣカード１を電子財布端末装置２に入れて次回の取引を行なう際、この貸付金を返済して個人情報記憶部３４での貸付金額をクリアすることにより、取引ができるようにする。この場合、ＩＣカード１の金額情報記憶部１４に記憶されている金額がこの返済で更新され、残高として金額情報記憶部１４に記憶される。そして、この取引に際し、この残高がこの取引での料金よりも大きいときには、この取引は成立し、この残高がこの取引での料金よりも小さくて料金不足の場合には、新たに貸付を受けることにより、取引を行なうことができる。この貸付金額はセンタ３の個人情報記憶部３４に記憶される。【選択図】        図１
2006073028.tif 000002
【特許請求の範囲】
【請求項１】
電子マネー情報を格納し、かつＩＤ番号を有するＩＣカード
と、
該ＩＣカードの情報を読み取り、また、書き込みを行なうＩＣカード読み書き
手段と、数値などを入力する入力手段と、公衆電話網を介してデータを送受する
回線制御手段とを有する電子財布端末と、
該ＩＣカードのＩＤ番号と金額情報を記憶する個人情報記憶手段と、該個人情
報記憶手段に記憶されているＩＤ番号と金額情報を照合する照合手段と、映画な
どのデータ情報を記憶するデータバンク手段と、公衆電話網などの通信回線を介
してデータを送受する回線制御手段とを有する情報センタと
を備えて、
該データバンク手段のデータ情報を読み出す際には、該ＩＣカード読み書き手
段によって該ＩＣカードから該データ情報の料金に相当する電子マネー情報を減
額して、該２つの回線制御手段によって該電子マネー情報を該情報センタに送信
することを特徴とする電子財布貸付システム。
【請求項２】
請求項１において、
前記データバンク手段のデータ情報を読み出す際に、該データ情報の料金より
前記ＩＣカードの電子マネー情報が少ない場合には、前記照合手段で前記ＩＣカ
ードから読み取られたＩＤ番号を照合して、該ＩＤ番号が照合され、なおかつ、
前記入力手段により使用者が貸付を選択した場合にのみ、該データ情報の料金全
額あるいは一部を前記個人情報記憶手段に金額情報として記憶することを特徴と
する電子財布貸付システム。
【請求項３】
請求項１において、
前記データバンク手段のデータ情報を読み出す際に、既に前記個人情報記憶手
段に金額情報が記憶されている場合には、前記ＩＣカード読み書き手段によって
前記ＩＣカードから該金額情報に相当する電子マネー情報を減額し、その後、該
データ情報の料金に相当する電子マネー情報を減額して、前記２つの回線制御手
段によってこれらの電子マネー情報を前記情報センタに送信することを特徴とす
る電子財布貸付システム。
【請求項４】
電子マネー情報を格納し、かつＩＤ番号を有するＩＣカード
と、
該ＩＣカードの情報を読み取り、または、書き込みを行なうＩＣカード読み書
き手段と、数値などを入力する入力手段と、公衆電話網などの通信回線を介して
データを送受する回線制御手段とを有する電子財布端末と、
該ＩＣカードのＩＤ番号と金額情報と貸付日付情報を記憶する個人情報記憶手
段と、該個人情報記憶手段に記憶されているＩＤ番号と金額情報と貸付日付情報
を照合する照合手段と、映画などのデータ情報を記憶するデータバンク手段と、
公衆電話網を介してデータを送受する回線制御手段とを有する情報センタと
を備えて、
該データバンク手段のデータ情報を読み出す際には、該ＩＣカード読み書き手
段によって該ＩＣカードから該データ情報の料金に相当する電子マネー情報を減
額して、該２つの回線制御手段によって該電子マネー情報を該情報センタに送信
することを特徴とする電子財布貸付システム。
【請求項５】
請求項４において、
前記データバンク手段のデータ情報を読み出す際に、該データ情報の料金より
前記ＩＣカードの電子マネー情報が少ない場合には、前記照合手段で前記ＩＣカ
ードから読み取られたＩＤ番号を照合して、該ＩＤ番号が照合され、なおかつ、
前記入力手段により使用者が貸付を選択した場合にのみ、該データ情報の料金全
額あるいは一部を前記個人情報記憶手段に金額情報として記憶することを特徴と
する電子財布貸付システム。
【請求項６】
請求項４において、
前記データバンク手段のデータ情報を読み出す際に、既に前記個人情報記憶手
段に金額情報が記憶されている場合には、前記照合手段で前記個人情報記憶手段
に記憶された貸付日付情報が返却期限内であるかどうかを照合し、期限内であれ
ば該データ情報の料金全額あるいは一部を前記個人情報記憶手段に金額情報とし
て記憶し、また、返却期限内ではない場合には、前記ＩＣカード読み書き手段に
よって前記ＩＣカードから該金額情報に相当する電子マネー情報を減額し、その
後、該データ情報の料金に相当する電子マネー情報を減額して、前記２つの回線
制御手段によってこれらの電子マネー情報を前記情報センタに送信することを特
徴とする電子財布貸付システム。
【請求項７】
電子マネー情報を格納し、かつＩＤ番号を有するＩＣカード
と、
該ＩＣカードの情報を読み取り、または、書き込みを行なうＩＣカード読み書
き手段と、数値などを入力する入力手段と、公衆電話網などの通信回線を介して
データを送受する回線制御手段とを有する電子財布端末と、
該ＩＣカードのＩＤ番号と金額情報と貸付上限金額情報を記憶する個人情報記
憶手段と、該個人情報記憶手段に記憶されているＩＤ番号と金額情報と貸付上限
金額情報を照合する照合手段と、映画などのデータ情報を記憶するデータバンク
手段と、公衆電話網を介してデータを送受する回線制御手段とを有する情報セン
タと
を備え、
該データバンク手段のデータ情報を読み出す際には、該ＩＣカード読み書き手
段によって該ＩＣカードから該データ情報の料金に相当する電子マネー情報を減
額して、該２つの回線制御手段によって該電子マネー情報を該情報センタに送信
することを特徴とする電子財布貸付システム。
【請求項８】
請求項７において、
前記データバンク手段のデータ情報を読み出す際に、該データ情報の料金より
前記ＩＣカードの電子マネー情報が少ない場合には、前記照合手段で前記ＩＣカ
ードから読み取られたＩＤ番号を照合して、該ＩＤ番号が照合され、なおかつ、
前記入力手段により使用者が貸付を選択した場合にのみ該データ情報の料金全額
あるいは一部を前記個人情報記憶手段に金額情報として記憶することを特徴とす
る電子財布貸付システム。
【請求項９】
請求項７において、
前記データバンク手段のデータ情報を読み出す際に、既に前記個人情報記憶手
段に金額情報が記憶されている場合には、前記照合手段で前記個人情報記憶手段
に記憶された該金額情報が該貸付上限金額情報以内であるかどうかを照合し、上
限金額内であれば、該データ情報の料金全額あるいは一部を前記個人情報記憶手
段に金額情報として記憶し、また、上限金額内ではない場合には、前記ＩＣカー
ド読み書き手段によって前記ＩＣカードから該金額情報に相当する電子マネー情
報を減額し、その後、該データ情報の料金に相当する電子マネー情報を減額し、
前記２つの回線制御手段によってこれらの電子マネー情報を前記情報センタに送
信することを特徴とする電子財布貸付システム。
【請求項１０】
電子マネー情報を格納し、かつＩＤ番号を有するＩＣカー
ドと、
該ＩＣカードの情報を読み取り、または、書き込みを行なうＩＣカード読み書
き手段と、数値などを入力する入力手段と、該ＩＣカードのＩＤ番号と金額情報
を記憶する個人情報記憶手段と、該個人情報記憶手段に記憶されているＩＤ番号
と金額情報を照合する照合手段とを有する端末装置と
から構成され、
商取引の決済を行なう際には、該ＩＣカード読み書き手段によって該ＩＣカー
ドから商取引の決済額に相当する電子マネー情報を減額することを特徴とする電
子財布貸付システム。
【請求項１１】
請求項１０において、
前記決済額より前記ＩＣカードの電子マネー情報が少ない場合には、前記照合
手段で前記ＩＣカードから読み取られたＩＤ番号を照合して、該ＩＤ番号が照合
され、なおかつ、前記入力手段により使用者が貸付を選択した場合にのみ、前記
決済額の全額あるいは一部を前記個人情報記憶手段に金額情報として記憶するこ
とを特徴とする電子財布貸付システム。
【請求項１２】
請求項１０において、
既に前記個人情報記憶手段に金額情報が記憶されている場合には、前記ＩＣカ
ード読み書き手段によって前記ＩＣカードから該金額情報に相当する電子マネー
情報を減額し、その後、前記決済額の料金に相当する電子マネー情報を減額する
ことを特徴とする電子財布貸付システム。
【請求項１３】
電子マネー情報を格納し、かつＩＤ番号を有するＩＣカー
ドと、
該ＩＣカードの情報を読み取り、または、書き込みを行なうＩＣカード読み書
き手段と、公衆電話網を介してデータを送受する回線制御手段とを有する自動改
札機と、該ＩＣカードのＩＤ番号と金額情報を記憶する個人情報記憶手段と、該
個人情報記憶手段に記憶されているＩＤ番号と金額情報を照合する照合手段と、
公衆電話網を介してデータを送受する回線制御手段とを有する情報センタと
を備え、
該自動改札機により運賃の支払いを行なう際には、該ＩＣカード読み書き手段
によって該ＩＣカードから該運賃に相当する電子マネー情報を減額して、該２つ
の回線制御手段によって該電子マネー情報を前記情報センタに送信することを特
徴とする電子財布貸付システム。
【請求項１４】
請求項１３において、
前記運賃より前記ＩＣカードの電子マネー情報が少ない場合には、前記照合手
段で前記ＩＣカードから読み取られたＩＤ番号を照合して、該ＩＤ番号が照合さ
れた場合にのみ、前記運賃の全額あるいは一部を前記個人情報記憶手段に金額情
報として記憶することを特徴とする電子財布貸付システム。
【請求項１５】
請求項１３において、
既に前記個人情報記憶手段に金額情報が記憶されている場合には、前記ＩＣカ
ード読み書き手段によって前記ＩＣカードから該金額情報に相当する電子マネー
を減額し、その後、前記運賃に相当する電子マネー情報を減額して、前記２つの
回線制御手段によってこれらの電子マネー情報を前記情報センタに送信すること
を特徴とする電子財布貸付システム。
【請求項１６】
電子マネー情報を格納する金額情報記憶部と、貸付金額に
相当する電子マネー情報を格納する貸付金額情報記憶部と、ＩＤ番号を格納する
ＩＤ番号記憶部とを有するＩＣカードと、
該ＩＣカードの情報を読み取り、または、書き込みを行なうＩＣカード読み書
き手段と、数値などを入力する入力手段と、該ＩＣカードのＩＤ番号を記憶する
個人情報記憶手段と、該個人情報記憶手段に記憶されているＩＤ番号を照合する
照合手段とを有する端末装置と
から構成され、
商取引の決済を行なう際には、該ＩＣカード読み書き手段によって該ＩＣカー
ドの金額情報記憶部から商取引の決済額に相当する電子マネー情報を減額するこ
とを特徴とする電子財布貸付システム。
【請求項１７】
請求項１６において、
前記決済額より前記ＩＣカードの電子マネー情報が少ない場合には、前記照合
手段で前記ＩＣカードから読み取られたＩＤ番号を照合して、該ＩＤ番号が照合
され、なおかつ、前記入力手段により使用者が貸付を選択した場合にのみ、前記
決済額の全額あるいは一部を前記貸付金額情報記憶部に貸付金額として記憶する
ことを特徴とする電子財布貸付システム。
【請求項１８】
請求項１６において、
既に前記貸付金額情報記憶部に貸付金額が記憶されている場合には、前記ＩＣ
カード読み書き手段によって前記ＩＣカードの金額情報記憶部から該貸付金額に
相当する電子マネー情報を減額し、その後、前記決済額の料金に相当する電子マ
ネー情報を前記金額情報記憶部から減額することを特徴とする電子財布貸付シス
テム。
【発明の詳細な説明】
【技術分野】
【０００１】
本発明は、電子財布システムを用いて商取引を行なう際、残高不足分をセンタ
やＰＯＳ端末に記憶し、次回の取引時に清算を行なうようにした電子財布貸付シ
ステムに関する。
【背景技術】
【０００２】
現在、テレホンカードなどのプリペードカードを用いて商取引を行なう場合、
そのカードに記憶された金額に達すると、その時点で取引が中止される。
【０００３】
同様に、特開平３−９２９６６号公報に示されている電子財布システムにより
支払を行なう場合でも、入金されている金額分の取引となる。
【０００４】
【特許文献１】特開平３−９２９６６号公報
【発明の開示】
【発明が解決しようとする課題】
【０００５】
上記プリペードカードによるものでは、特定のサービスに対しての支払いのみ
に用いるため、それに応じた金額のカードを前もって用意する。このため、残金
不足が生じることは少ない。
【０００６】
しかし、上記電子財布システムによるものでは、多方面に使用用途があるため
に、電子財布への入金忘れや入金不足による支払時の残金不足が生じる可能性が
大きい。そのため、電子財布システムでは、携帯用残高表示機などにより、常に
ＩＣカードの残高を確認できるようにしているが、取引時に残金が不足した場合
には、電子財布による取引は不可能となる。
【０００７】
なお、上記特開平３−９２９６６号公報に開示されている電子財布システムで
は、取引の際にＩＣカード内の残高が取引金額より少なかった場合、残高不足を
電子財布使用者に通知し、取引を中止にするか、ＩＣカードでの支払金額を変更
するか、クレジットカードなどによる他の取引方法にするかの判断を促し、弾力
的な買物処理の運用を可能としている。
【０００８】
本発明の目的は、電子財布システム使用者がＩＣカードに入金を忘れていた場
合や、時間割サービスを受けている最中に、残高不足による取引中止を防ぐ電子
財布システムを提供することにある。
【０００９】
また、本発明の他の目的は、取引中止の回避方法として、従来のように現金や
クレジットカードなどの他の取引方法を併用せず、電子財布システムのみで対応
可能とすることにある。
【課題を解決するための手段】
【００１０】
上記目的を達成するために、本発明は、
電子マネー情報を格納しかつＩＤ番号を有するＩＣカードと、
該ＩＣカードの情報の読取りと書込みとを行なうＩＣカード読み書き手段と、
数値などを入力する入力手段と、公衆電話網を介してデータを送受する回線制御
手段とを有する電子財布端末装置と、
該ＩＣカードのＩＤ番号と金額情報を記憶する個人情報記憶手段と、該個人情
報記憶手段に記憶されているＩＤ番号と金額情報を照合する照合手段と、映画な
どのデータ情報を記憶するデータバンク手段と、公衆電話網を介してデータを送
受する回線制御手段とを有する情報センタと
から構成する。
【００１１】
そして、該データバンク手段のデータ情報を読み出す際に、該データ情報の料
金より該ＩＣカードの電子マネー情報が少ない場合には、該照合手段で該ＩＣカ
ードから読み取られたＩＤ番号を照合して、該ＩＤ番号が照合され、なおかつ該
入力手段により使用者が貸付を選択した場合にのみ、該データ情報の料金全額あ
るいは一部を該個人情報記憶手段に金額情報として記憶することで貸付処理を行
なう。
【００１２】
作用として、
電子財布システムで支払時に残高不足が生じた場合、センタあるいはＰＯＳ端
末にＩＤ登録した個人情報として、貸付金額などを記憶させることにより、即時
に貸付処理を行って取引の中断あるいは現金やクレジットカードなどの他の取引
方法への切り替えを回避することが可能となる。
【発明の効果】
【００１３】
これにより、使用者は電子財布システムのみによる商取引の完全なキャッシュ
レス化を実現することが可能である。
【発明を実施するための最良の形態】
【００１４】
以下、本発明の実施例を図面により説明をする。
【００１５】
図１は本発明による電子財布貸付システムの第１の実施例を示すブロック図で
あって、１はＩＣカード、２は電子財布端末装置、３はセンタ、４はモニタ、５
はセットトップボックス、１１はＩＤ記憶部、１２は演算処理部、１３は接続部
、１４は金額情報記憶部、２１は表示部、２２は入力部、２３はカード制御部、
２４はカード読み書き部、２５は演算処理部、２６は回線制御部、３１は回線制
御部、３２は演算処理部、３３は売上げ金額記憶部、３４は個人情報記憶部、３
５はデータ変換部、３６は映画バンク、３７ニュースバンク、３８はスポーツバ
ンク、５１はデータ変換部、５２はセットトップボックス入力部、５３は回線制
御部、５４は演算処理部である。
【００１６】
図２は図１における個人情報記憶部３４の一具体例を示すものであって、６０
はＩＤ番号記憶部、６１は貸付金額記憶部、６２は貸付日付記憶部であり、図２
（ａ）に示す具体例は１つのＩＤに対して貸付内容があり、同図（ｂ）に示す具
体例は複数のＩＤに対して貸付内容がある場合のものである。後者は、例えば、
家族などのグループ情報用である。
【００１７】
図３はこの実施例の基本処理の一具体例を示すフローチャートである。
【００１８】
この実施例は、映画やニュース，スポーツなどのサービスデータを公衆電話網
などの通信回線を用いてセンタから読み取り、電子財布システムを用いて料金を
支払う場合のものとする。
【００１９】
図１及び図３において、ここでは、ＩＣカード１の所持者が映画の料金を電子
マネーにより支払を行なうものとし、ＩＣカード１が電子財布端末装置２の挿入
口に挿入されるまで、この実施例はＩＣカード１の入力待ち状態にあって、その
旨電子財布端末装置２の表示部２１で表示されている（ステップＳ１０２，Ｓ１
０３）。
【００２０】
使用者が電子財布端末装置２の挿入口にＩＣカード１を入れると、ＩＣカード
１は電子財布端末装置２のカード制御部２３により挿入されて、ＩＣカード１の
接続部１３が電子財布端末装置２のカード読み書き部２４に接続され、電子財布
端末装置２はＩＣカード１の挿入が確認される（ステップＳ１０３）。
【００２１】
ＩＣカード１の挿入が確認されると、まず、このＩＣカード１の所持者がこの
センタ３の登録メンバーであるか否かの確認を行なう。そのために、ＩＣカード
１のＩＤ記憶部１１に記憶されているこのＩＣカード１特有のＩＤが電子財布端
末装置２のカード読み書き部２４により読み取られ（ステップＳ１０４）、演算
処理部２５で処理された後、電子財布端末装置２の回線制御部２６とセンタ３の
回線制御部３１とを経てセンタ３の演算処理部３２に供給される。そして、セン
タ３の個人情報記憶部３４内のＩＤ番号記憶部６０（図２）から登録ＩＤを読み
取り（ステップＳ１０５）、この登録ＩＤでＩＣカード１からのＩＤを照合して
、ＩＣカード１のＩＤがセンタ３に登録されているかどうか確認を行なう（ステ
ップＳ１０６）。これによって登録メンバーであることが確認されると、貸付機
能を使用できるが、非登録メンバーであるときには、貸付機能が使用できず、通
常の電子マネーによる取引のみとなってステップ１１４に進む。
【００２２】
登録メンバーは、前回サービスを受けた際に、このセンタ３の貸付機能によっ
て支払をしていた場合に限り、清算をしなくては今回のサービスを受けることが
できない。そこで、センタ３の個人情報記憶部３４の内容を参照し（ステップＳ
１０７）、前回の取引での貸付の有無を確認する（ステップＳ１０８）。この結
果、貸付がない場合には、通常の支払の手続を行なうために、ステップＳ１１４
に移る。
【００２３】
ステップ１０８で前回貸付があると確認された場合には、電子財布端末装置２
の表示部２１に前回の貸付金額を表示して、清算を行なうか否かの選択を促し、
ＩＣカード１の所持者は、清算をするかどうかを電子財布端末装置２の入力部２
２により選択する（ステップＳ１０９）。清算をすることが選択された場合には
、ＩＣカード１の金額情報記憶部１４に記憶されている残金を電子財布端末装置
２のカード読み書き部２３により読み取り（ステップＳ１１０）、センタ３の個
人情報記憶部３４内の貸付金額記憶部６１（図２）に記憶されている貸付金額と
の比較を演算処理部３２で行なう（ステップＳ１１１）。
【００２４】
そして、残金が貸付金額より大きい場合には、演算処理部３２により減算し、
カード読み書き部２４によりＩＣカード１の金額情報記憶部１４に新規の残金を
書き込む（ステップＳ１１２）。また、センタ３の個人情報記憶部３４内の貸付
金額記憶部６１（図２）と貸付日付記憶部６２（図２）をリセットする（ステッ
プＳ１１３）。
【００２５】
以上により、前回の取引での貸付の清算が終了し、今回のサービスの手続きに
入る。清算をしなかったり（ステップＳ１０９）、残金が不足したり（ステップ
Ｓ１１１）している場合には、サービスを受けることができず、カード制御部２
３によりＩＣカード１が電子財布端末装置２から排出されて（ステップＳ１２８
）、処理が終了する（ステップＳ１３０）。
【００２６】
上記のステップＳ１１３まで進むと、あるいは登録メンバーでなかったり（ス
テップＳ１０６）、登録メンバーであっても、貸付がないとき（ステップＳ１０
８）には、まず、モニタ４にこのシステムにより受けられる映画やニュース，ス
ポーツなどの各種サービス内容が表示され、その中から利用者の受けたいサービ
スをセットトップボックス５の入力部５１により選択することができるようにす
る。その中から例えば映画を選択すると、夫々の映画のタイトルと料金が表示さ
れ（ステップＳ１１４）、利用者は自分の見たい映画のタイトルを入力部５２に
より選択する（ステップＳ１１５）。
【００２７】
タイトルが選択されると、ＩＣカード１の金額情報記憶部１４に格納された残
金をカード読み書き部２４で読み込み、センタ３の演算処理部３２でこの選択さ
れた映画の料金との比較を行なう（ステップＳ１１６）。この結果、残金が料金
より大きいか等しければ、演算処理部３２により残金から料金を減算し（ステッ
プＳ１１７）、料金を売上記憶部３３に加算する（ステップＳ１１８）とともに
、ＩＣカード１の金額情報記憶部１４の残金をカード読み書き部２４により更新
し、料金の支払が終了する（ステップＳ１１９）。
【００２８】
これにより、センタ３の演算処理装置３２により、データ変換装置３５で映画
バンク３６から選択された映画のデータが読み出されて変換され、回線制御装置
３１を介してセットトップボックス５に転送される。セットトップボックス５で
は、回線制御装置５３を介してデータが取り込まれ、データ変換装置５１により
映画データが変換されて（ステップＳ１２５）、モニタ４に映画が上映される（
ステップＳ１２６）。
【００２９】
また、残金が料金より少ない場合には（ステップＳ１１６）、電子財布端末装
置２の表示部２１に残高不足が表示される（ステップＳ１２０）。そして、再度
ＩＣカード１の利用者がＩＤ登録されているか否かの確認を行ない（ステップＳ
１２１）、この結果、登録メンバーであることが確認されると、貸付を受けるか
どうかを表示部２１に表示してその選択を促す（ステップＳ１２２）。
【００３０】
ここで、貸付を受けることを電子財布入力部２２で選択した場合には（ステッ
プＳ１２２）、センタ３内の売上金額記憶部３３に料金を加算し（ステップＳ１
２３）、個人情報記憶部３４内の貸付金額記憶部６１（図２）に貸付金額を、貸
付日付記憶部６２（図２）に貸付日時を夫々記憶する（ステップＳ１２４）。こ
の場合、料金の全額を貸付金額として処理することとする。この手続により、決
済が終了して映画の表示が開始される（ステップＳ１２５，Ｓ１２６）。
【００３１】
非登録メンバーである場合（ステップＳ１２１）には、あるいは、登録メンバ
ーであっても、貸付を受けないことを電子財布入力部２２により選択した場合（
ステップＳ１２２）には、映画を見ることができず、カード制御部２３によって
ＩＣカード１が電子財布端末装置２から排出される（ステップＳ１２９）。
【００３２】
映画が終了すると、モニタにサービスを終了するか、再度映画を見るかの選択
を促す表示がなされる（ステップＳ１２７）。再度映画を見ることをセットトッ
プボックス５の入力部５２により選択すると、モニタ４に映画のタイトルと料金
が表示される状態に戻り（ステップＳ１１４）、支払を済ませれば、また、映画
を見ることが可能である。
【００３３】
サービス終了をセットトップボックス入力部５２により選択すると（ステップ
Ｓ１２７）、サービスが終了し（ステップＳ１２８）、カード制御部２３によっ
てＩＣカード１が電子財布端末装置２から排出される（ステップＳ１２９）。
【００３４】
ここで、ＩＣカード１に借用金額記憶部を持たせ、カード読み書き部２４によ
り、ＩＣカード１とセンタ３の双方に貸付金額のデータを持たせるようにしても
よい。また、貸付金額は料金の全てを貸付金額とするか、残金の不足分を貸付金
額とするかのどちらでもよい。なお、後者の場合には、ＩＣカード１の金額情報
記憶部１４の残金を更新することが必要である。
【００３５】
なお、上記実施例では、個人情報記憶部３４を、図２（ｂ）に示すように、家
族内の複数のＩＤをグループ化し、センタ３にグループ情報として記憶してする
ようにした場合、グループ内の１人が貸付を受けている場合、他のグループの者
が清算をすることができる。そのため、子供が見た映画の料金を親がまとめて支
払うことも可能となる。
【００３６】
また、上記実施例では、電子財布端末装置２とセットトップボックス５を分離
しているが、電子財布システム内蔵のセットトップボックスとしてもよい。
【００３７】
次に、返却期限を定めた場合のこの実施例の処理について説明する。
【００３８】
図４は返却期限を定めた貸付機能をもつこの実施例で支払を行なったときの基
本処理を示すフローチャートである。
【００３９】
図１及び図４において、ＩＣカード１の所持者がサービスの支払を電子マネー
により行なう場合、入力待ち状態（ステップＳ２０２，Ｓ２０３）にある電子財
布端末装置２の挿入口にＩＣカード１を入れると、ＩＣカード１は電子財布端末
装置２のカード制御部２３により挿入され、ＩＣカード１の接続部１３がカード
読み書き部２４に接続される。
【００４０】
そして、電子財布端末装置２は、ＩＣカード１の入力を確認し（ステップ２０
３）、まず、このＩＣカード１の所持者がセンタ３の登録メンバーであるかどう
か確認を行なう。
【００４１】
即ち、ＩＣカード１のＩＤ記憶部１１に記憶されているこのＩＣカード特有の
ＩＤがカード読み書き部２４により読み取られ（ステップＳ２０４）、電子財布
端末装置２内の演算処理部２５で処理された後、電子財布端末装置２の回線制御
部２６とセンタ３の回線制御部３１を介してセンタ３の演算処理部３２に供給さ
れる。また、センタ３の個人情報記憶部３４内のＩＤ番号記憶部６１（図１）か
ら登録ＩＤを読み取り（ステップＳ２０５）、ＩＣカード１からのＩＤをこの登
録ＩＤと照合することにより、このＩＤがセンタ３に登録されているかどうかの
確認を行なう（ステップＳ２０６）。ＩＤがセンタ３に登録されている登録メン
バーであれば、貸付機能を使用できるが、非登録メンバーであるときには、貸付
機能が使用できず、通常の取引のみとなってステップＳ２１４に進む。
【００４２】
ここで、この実施例では、登録メンバーのときには、前回サービスを受けた際
に、このセンタ３の貸付機能により支払をしていた場合、清算をしなくてはなら
ないが、返却日以内ならば、清算を行わなくても、さらに貸付を受けることがで
きる。
【００４３】
そこで、センタ３の個人情報記憶部３４の貸付日付記憶部６２（図２）の内容
を参照して前回までの取引を確認し（ステップＳ２０７）、この結果、貸付がな
い場合には（ステップＳ２０８）、通常の支払の手続のために、ステップ２１４
に移る。
【００４４】
前回貸付を受けている場合には（ステップＳ２０８）、電子財布端末装置２の
表示部２１に前回までの貸付金額が表示され、清算を行なうかどうかの選択を促
す（ステップＳ２０９）。ＩＣカード１の金額情報記憶部１４に入金されている
残金があれば、清算を行なえばよいが、残金が不足している場合や清算をまだ行
なっていないときには、拒否することが可能である。この場合には、ステップＳ
２１４に移る。
【００４５】
ステップＳ２０９で清算をすることが選択された場合には、ＩＣカード１の金
額情報記憶部１４に記憶された残金を電子財布端末装置２のカード読み書き部２
４により読み取り（ステップＳ２１０）、センタ３の個人情報記憶部３４の貸付
金額記憶部６１（図２）に記憶されている貸付金額と演算処理部３２で比較する
（ステップＳ２１１）。残金が貸付金額より大きい場合には、演算処理部３２に
より減算し、電子財布端末装置２のカード読み書き部２４によりＩＣカード１の
金額情報記憶部１４に新規の残金を書き込み（ステップＳ２１２）、センタ３の
個人情報記憶部３４の貸付金額記憶部６１（図２）の貸付金額と貸付日付記憶部
６２（図２）の貸付日時をリセットする（ステップＳ２１３）。
【００４６】
以上により、前回までの取引の清算が終了し、今回のサービスの手続き処理に
入る。清算をしなかった場合（ステップＳ２０９）や残金が足した場合（ステッ
プＳ２１１）には、貸付金額の清算は行なわずにサービスを受けることになる。
【００４７】
次に、モニタ４にサービス内容と料金が表示され（ステップＳ２１４）、利用
者は、自分の受けたいサービスをセットトップボックス５の入力部５２により選
択する（ステップＳ２１５）。
【００４８】
このようにしてサービス内容が決定すると、ＩＣカード１の金額情報記憶部１
４に格納された残金をカード読み書き部２４によりセンタ３の演算処理部３２に
読み込み、料金との比較を行なう（ステップＳ２１６）。この結果、残金が料金
より大きければ、演算処理部３２により残金から料金を減算し（ステップＳ２１
７）、料金を売上記憶部３３に演算処理部３２により加算する（ステップＳ２１
８）。また、電子財布端末装置２のカード読み書き部２４でＩＣカード１の金額
情報記憶部１４の残金を更新する（ステップＳ２１９）。
【００４９】
これにより、決算が終了し、データがセットトップボックス５に転送され（ス
テップＳ２２８）、サービスが開始される（ステップＳ２２９）。
【００５０】
また、残金が料金より少ない場合には（ステップＳ２１６）、電子財布端末装
置２の表示部２１に不足した残高が表示される（ステップＳ２２０）。そして、
再度ＩＤ番号を参照して登録メンバーであるかどうかを確認をする（ステップＳ
２２１）。この結果、登録メンバーであれば、貸付を受けるかどうかを電子財布
端末装置２の表示部２１に表示してその選択を促す（ステップＳ２２２）。
【００５１】
ここで、貸付を受けることを電子財布端末装置２の入力部２２により選択した
場合には（ステップＳ２２２）、センタ３の個人情報記憶部３４内の貸付日付記
憶部６２（図２）を読み出して前回の貸付があるかどうかを確認し（ステップＳ
２２３）、前回までに貸付を受けていない利用者には、ステップＳ２２５に移っ
て即座に貸付が行なわれる。
【００５２】
また、貸付を受けている利用者に対しては（ステップＳ２２３）、その日付が
センタ３で設定されている返却期限日（一例として毎月２８日）以内であれば（
ステップＳ２２４）、センタ３において、演算処理部３２により売上金額記憶部
３３に料金が加算され（ステップＳ２２５）、個人情報記憶部３４内の貸付金額
記憶部６１（図２）、貸付日付記憶部６２（図２）を更新する（ステップＳ２２
６）。
【００５３】
この手続により、貸付による支払が終了し、ステップＳ２２８に進んでサービ
スが開始される（ステップＳ２２８）。
【００５４】
なお、この場合でも、料金全額を貸付にしてもよいし、また、不足分を貸付に
してもよい。
【００５５】
返却期限がオーバーしている利用者に対しては、電子財布端末装置２の表示部
２１に返却期限切が表示され（ステップＳ２２７）、非登録メンバーあるいは貸
付を受けないことを電子財布端末装置２の入力部２２により選択した利用者と同
様に、サービスを受けることができず、カード制御部２３によりＩＣカード１が
電子財布端末装置２より排出される（ステップＳ２３２）。
【００５６】
サービスが終了すると、モニタ４にサービスを終了するか、再度サービスを受
けるかの選択を促す表示がなされる（ステップＳ２３０）。再度サービスを受け
ることをセットトップボックス５の入力部５２により選択すると、モニタ４にサ
ービス内容と料金が表示された状態に戻り（ステップＳ２１４）、支払を済ませ
れば、また、サービスを受けることが可能である。
【００５７】
サービス終了をセットトップボックス５の入力部５２で選択すると（ステップ
Ｓ２３０）、サービスが終了し（ステップＳ２３１）、カード制御部２３によっ
てＩＣカード１が電子財布端末装置２から排出される（ステップＳ２３２）。こ
れにより、一連の処理が終了する（ステップＳ２３３）。
【００５８】
ここで、この実施例では、返却期限を月払として、その間は何回でも貸付可能
としたが、センタ３の個人情報記憶部３４に返却期間記憶部を設け、返却日を最
初に貸付を行なった日より何日間と設定し、その間は何回でも貸付が可能として
もよい。
【００５９】
次に、貸付額の上限を定めた場合のこの実施例の処理について説明する。
【００６０】
図５はこの場合の図１における貸付上限金額を記憶する個人情報記憶部３４の
一具体例を示す図であって、６０はＩＤ記憶部、７１は貸付上限記憶部、６１は
貸付金額記憶部、６２は貸付日付記憶部である。
【００６１】
図６は貸付額の上限を定めた貸付機能をもつこの実施例により支払を行なうと
きの基本処理を示すフローチャートであって、この貸付額の上限値は、図５にお
ける個人情報記憶部３４の貸付上限記憶部７１に記憶されている。
【００６２】
この場合、図４のステップＳ２０１〜ステップＳ２１３の処理は同様であり、
これにより、前回の取引の清算が行なわれ、しかる後、モニタ４にサービス内容
と料金が表示された（ステップＳ３０１）後、自分の受けたいサービスをセット
トップボックス５の入力部５２により選択する（ステップＳ３０２）。
【００６３】
サービスが選択されると、ＩＣカード１の金額情報記憶部１４に格納された残
金を電子財布端末装置２のカード読み書き部２４によりセンタ３の演算処理部３
２に読み込み、料金との比較を行なう（ステップＳ３０３）。この結果、残金が
料金より大きければ、演算処理部３２により残金から料金を減算し（ステップＳ
３０４）、カード読み書き部２４でＩＣカード１の金額情報記憶部１４の残金を
更新する（ステップＳ３０５）。また、演算処理部３２により、料金を売上金額
記憶部３３に加算する（ステップ３０６）。
【００６４】
これにより、決算が終了し、選択されたサービスのデータがセットトップボッ
クス５に転送され（ステップＳ３１５）、サービスが開始される（ステップＳ３
１６）。
【００６５】
また、残金が料金より少ない場合には（ステップＳ３０３）、電子財布端末装
置２の表示部２１に残高不足が表示される（ステップＳ３０７）。そして、再度
登録メンバーであるかどうかの確認をし（ステップＳ３０８）登録メンバーであ
ることを確認されると、貸付を受けるかどうかを電子財布端末装置２の表示部２
１に表示して選択を促す（ステップＳ３０９）。
【００６６】
ここで、貸付を受けることを電子財布端末装置２の入力部２２により選択した
場合には、サービス料金に、センタ３の個人情報記憶部３４内の貸付金額記憶部
６１（図５）に記憶されている現在の貸付金額を加算し、新規の貸付金額とする
（ステップＳ３１０）。そして、この新規の貸付金額と個人情報記憶部３４の貸
付上限金額記憶部６１（図５）に記憶された貸付上限をセンタ３の演算処理部３
２により比較し（ステップＳ３１１）、その結果、貸付金額が貸付上限以内であ
れば、演算処理部３２により、売上金額記憶部３３に料金が加算される（ステッ
プＳ３１２）。また、センタ３の個人情報記憶部３４の貸付金額記憶部６１（図
５）の貸付金額を更新する（ステップＳ３１３）。
【００６７】
以上の手続によって決算が終了し、サービスが開始される（ステップＳ３１５
）。
【００６８】
また、非登録メンバーであったり（ステップＳ３０８）、登録メンバーであっ
ても、貸付を受けないことを入力部２２で選択したり（ステップＳ３０９）した
ときには、サービスを受けることができず、カード制御部２３によりＩＣカード
１が電子財布端末装置２から排出される（ステップＳ３１９）。
【００６９】
また、貸付金額の上限をオーバーしたときには（ステップＳ３１１）、電子財
布端末装置２の表示部２１に貸付上限オーバーであることを表示し（ステップＳ
３１４）、カード制御部２３によりＩＣカード１が電子財布端末装置２より排出
される（ステップＳ３１９）。
【００７０】
サービスが終了すると、モニタ４にサービスを終了するか、再度サービスを受
けるかの選択を促す表示がなされる（ステップＳ３１７）。再度サービスを受け
ることをセットトップボックス５の入力部５２により選択すると、モニタ４にサ
ービス内容と料金が表示された状態に戻り（ステップＳ３０１）、支払を済ませ
れば、また、サービスを受けることが可能である。
【００７１】
サービスの終了をセットトップボックス５の入力部５２により選択すると、サ
ービスが終了し（ステップＳ３１８）、カード制御部２３によりＩＣカード１が
電子財布端末装置２から排出される（ステップＳ３１９）。これにより、一連の
処理が終了となる（ステップＳ３２０）。
【００７２】
ここで、この実施例では、個人情報記憶部３４に貸付上限記憶部７１（図５）
を持たせることにより、貸付金額の上限値を任意に設定できたが、この貸付上限
記憶部７１をなくし、上限をセンタ一律にしてもよい。
【００７３】
また、個人情報記憶部３４内に、貸付額の上限値と同様に、返却期限や貸付回
数の記憶部を設け、これにより、貸付額の調整を行なうようにしてもよい。
【００７４】
さらに、この実施例では、料金全額を貸付により支払を行なったが、料金全額
を貸付にしたくない場合には、残金の不足分を貸付により支払ってもよい。
【００７５】
以上、センタからの映画などのデータをセットトップボックスを介して得る場
合における電子財布貸付システムについて述べたが、ゲームの内容をセットトッ
プボックスを介して得る場合も考えられる。この場合、ゲームを１回使用する毎
に使用時間に関係なく料金を課すようにしてもよいし、また、一定時間使用毎に
料金を課す時間貸しとしてもよい。前者では、映画サービスと同様に、精算時に
貸付機能を付加することができる。また、後者では、一定時間使用毎に自動的に
精算を行ない、ＩＣカード内の残金が不足している場合にのみ、ゲームを一時中
断させて貸付機能を付加すればよい。
【００７６】
以上により、ゲームを時間貸しで使用時にＩＣカード内の残金が不足した場合
でも、貸付機能により、ゲームを続けることが可能となる。
【００７７】
次に、本発明をスーパーマーケットなどのＰＯＳレジ端末装置に用いた場合の
実施例について説明をする。
【００７８】
図７はかかるＰＯＳ端末装置に用いた場合の本発明による電子財布貸付システ
ムの第２の実施例を示すブロック図であって、８はＰＯＳ端末装置、８１は表示
部、８２はＰＯＳレジキー入力部、８３はカード制御部、８４はカード読み書き
部、８５は演算処理部、８６は回線制御部、８７は売上金額記憶部、８８は個人
情報記憶部であり、ＩＣカード１は図１に示した実施例と同様である。
【００７９】
また、図８はこの実施例の基本処理の一具体例を示すフローチャートである。
【００８０】
入力待ち状態（ステップＳ４０２，Ｓ４０３）にあるＰＯＳ端末装置８の挿入
口に、ＩＣカード１の所持者がサービスの決済を電子マネーで行なうために、こ
のＩＣカード１を入れると、ＩＣカード１の挿入が確認される（ステップＳ４０
３）。
【００８１】
ＩＣカード１の挿入が確認されると、まず、このＩＣカード１の所持者がこの
ＰＯＳ端末装置８の登録メンバーであるかどうかの確認を行なう。
【００８２】
そのため、ＩＣカード１のＩＤ記憶部１１に記憶されているこのＩＣカード特
有のＩＤがＰＯＳ端末装置８のカード読み書き部８４により読み取られ（ステッ
プＳ４０４）、ＰＯＳ端末装置８内の演算処理部８５に供給される。次に、ＰＯ
Ｓ端末装置８の個人情報記憶部８８（ここでは、図２に示した図１での個人情報
記憶部３４と同一構成をなしているものとする）内のＩＤ番号記憶部６０から登
録ＩＤを読み取り（ステップＳ４０５）、これとＩＣカードからのＩＤを照合す
ることにより、このＩＤがＰＯＳ端末装置８に登録されているかどうかの確認を
行なう（ステップＳ４０６）。
【００８３】
これにより、ＩＤが登録されている登録メンバーであることが確認されると、
貸付システムによる支払が可能であるが、非登録メンバーであるときには、貸付
システムを使用できず、通常の電子マネーの取引のみとなってステップＳ４１４
に進む。
【００８４】
登録メンバーは、前回サービスを受けた際に、このＰＯＳ端末装置８の貸付機
能によって支払をしていた場合に限り、清算をしなくては今回のサービスを受け
ることができない。そこで、ＰＯＳ端末装置８の個人情報記憶部８８内の貸付金
額記憶部６１（図２）と貸付日付記憶部６２（図２）の内容を参照し（ステップ
Ｓ４０７）、前回の取引を確認する（ステップＳ４０８）。この結果、貸付がな
い場合には、通常の支払の手続のためにステップＳ４１４に移る。
【００８５】
ステップＳ４０８で前回貸付があると確認された場合には、ＰＯＳ端末装置８
の表示部８１に前回の貸付金額が表示され、清算を行なうかどうかの選択を促さ
れ、ＩＣカード１の所持者は、清算をするかどうかをＰＯＳレジキー入力部８２
により選択する（ステップＳ４０９）。清算をすることが選択された場合には、
ＩＣカード１の金額情報記憶部１４に記憶されている残金をＰＯＳ端末装置８の
カード読み書き部８４により読み取り（ステップＳ４１０）、個人情報記憶部３
４内の貸付金額記憶部６１（図２）に記憶されている貸付金額との比較を演算処
理部８５で行なう（ステップＳ４１１）。
【００８６】
そして、残金が貸付金額より大きい場合には、演算処理８５により減算し、カ
ード読み書き部８４によりＩＣカード１の金額情報記憶部１４に新規の残金を書
き込む（ステップＳ４１２）。また、ＰＯＳ端末装置８の個人情報記憶部８８内
の貸付金額記憶部６１（図２）と貸付日付記憶部６２（図２）をリセットする（
ステップＳ４１３）。
【００８７】
以上により、前回の取引での貸付の精算が終了し、今回のサービスの手続きに
入る。清算をしなかったり（ステップＳ４０９）、残金が不足したり（ステップ
Ｓ４１１）している場合には、サービスが受けることができず、カード制御部８
３によりＩＣカード１がＰＯＳ端末装置８から排出され（ステップＳ４２６）、
処理が終了する（ステップＳ４２７）。
【００８８】
上記のステップＳ４１３まで進むと、あるいは、登録メンバーでなかったり（
ステップＳ４０６）、登録メンバーであっても、貸付がないときには（ステップ
Ｓ４０８）、まず、ＰＯＳ端末装置８の表示部８１に今回のサービス内容と料金
が表示される（ステップＳ４１４）。そして、ＩＣカード１の金額情報記憶部１
４に格納された残金をカード読み書き部８４により読み込み、演算処理部８５で
今回の料金との比較を行なう（ステップＳ４１５）。この結果、残金が料金より
大きいか等しければ、演算処理部８５により残金から今回の料金を減算し（ステ
ップＳ４１６）、料金を売上金額記憶部８７に加算する（ステップＳ４１７）と
ともに、ＩＣカード１の金額情報記憶部１４の残金をカード読み書き部８４によ
り更新し（ステップＳ４１８）、決算終了をＰＯＳ端末装置８表示部８１で表示
して（ステップＳ４２４）、決済が終了する（ステップＳ４２５）。
【００８９】
また、ＩＣカード１の残金が今回の料金より少ない場合には（ステップＳ４２
１）、ＰＯＳ端末装置８の表示部８１に残金不足が表示される（ステップＳ４１
９）。そして、再度ＩＣカード１のＩＤが登録されているかどうかの確認をする
（ステップＳ４２０）。この結果、登録メンバーであれば、貸付を受けるかどう
かを表示部８１に表示していずれかの選択を促す（ステップＳ４２１）。
【００９０】
ここで、貸付を受けることをＰＯＳレジ入力部８２で選択した場合には（ステ
ップＳ４２１）、ＰＯＳ端末装置８内の売上金額記憶部８７に料金を加算し（ス
テップＳ４２２）、個人情報記憶部８８内の貸付金額記憶部６１（図２）に貸付
金額を、貸付日付記憶部６２（図２）に貸付日付を夫々記憶する（ステップＳ４
２３）。
【００９１】
なお、ＩＣカード１に借用金額記憶部を持たせ、カード読み書き部８４により
ＩＣカード１に記憶させることにより、ＰＯＳ端末装置８とＩＣカード１の双方
に貸付金額のデータを持たせてもよい。また、貸付金額は料金の全てを貸付金額
とするか、残金の不足分を貸付金額とするかどちらでもよい。
【００９２】
この手続により、決済が終了したことをＰＯＳ端末装置８の表示部８１に表示
し（ステップＳ４２４）、決済が終了する（ステップＳ４２５）。非登録メンバ
ー（ステップＳ４２０）や貸付を受けないことをＰＯＳレジ入力部８２により選
択した利用者（ステップＳ４２１）は、今回の料金を決済することができず、カ
ード制御部８３によりＩＣカード１がＰＯＳ端末装置８より排出される（ステッ
プＳ４２６）。この場合には、スーパーマーケットでの買物を中止するか、ある
いはＩＣカードに入金後に再度支払い処理をする必要がある。
【００９３】
料金の支払を終了すると、カード制御部８３によりＩＣカード１がＰＯＳ端末
装置８より排出される（ステップＳ４２６）。
【００９４】
なお、ＩＣカード１から読み取った電子マネー情報は、ＰＯＳ端末装置８内の
売上金額記憶部８７に供給されるが、回線制御部８６を介して銀行などに送金さ
れることもある。
【００９５】
なお、この実施例においても、貸付金額の上限や返却期限を設定してもよい。
また、センタに個人情報記憶部を持たせて、コンビニエンスストアやガソリンス
タンドなどのチェーン店のＰＯＳ端末装置ならば、どこでも貸付や貸付金額の清
算ができるような構成にしてもよい。この場合、貸付金額などの個人情報や電子
マネー情報が回線制御部８６を介してセンタや銀行に送られる。
【００９６】
次に、本発明を電車やバスなどの運賃の支払に使用される自動改札機に用いた
場合の実施例について説明する。
【００９７】
図９はかかる自動改札機に用いた場合の本発明による電子財布貸付システムの
第３の実施例を示すブロック図であって、１はＩＣカード、９は電子財布用自動
改札機、１０はセンタ、９１は表示部、９２は駅コード記憶部、９３はカード制
御部、９４はカード読み書き部、９５は演算処理部、９６は回線処理部、９７は
ゲート制御部、１０１は回線制御部、１０２は演算処理部、１０３は売上金額記
憶部、１０４は個人情報記憶部、１０５は運賃データである。
【００９８】
図１０は図９における自動改札用個人情報記憶部の一具体例を示し、１１０は
自動改札用個人情報記憶部、１１１は乗車駅コード記憶部であって、前出図面に
対応する部分には同一符号を付けている。
【００９９】
図１１はこの実施例の基本処理を示すフローチャートである。
【０１００】
図９及び図１１において、ＩＣカード１の所持者が電子マネーにより運賃を支
払うために、入力待ち状態（ステップＳ５０２，Ｓ５０３）にある電子財布用自
動改札機９のＩＣカード挿入口にＩＣカード１を挿入すると、カード制御部９３
により、ＩＣカード１の接続部１３がカード読み書き部９４に接続される（ステ
ップＳ５０３）。
【０１０１】
ＩＣカード１の挿入があると、まず、この使用者がこれから乗車するのか下車
するのかを確認するために、ＩＣカード１からＩＤ番号の読み取りを行なう。
【０１０２】
即ち、ＩＣカード１のＩＤ記憶部１３に記憶されているこのＩＣカード１特有
のＩＤをカード読み書き部９４により読み取り、演算処理部９５で処理した後、
回線制御部９６，１０１を介してセンタ１０の演算処理部１０２に供給する（ス
テップＳ５０４）。そして、センタ１０内の個人情報記憶部１０４のＩＤ番号記
憶部６０（図１０）の登録ＩＤを読み取り（ステップＳ５０５）、これとＩＣカ
ード１からのＩＤとを参照する（ステップＳ５０６）。その結果、ＩＣカード１
のＩＤが未登録ならば、このＩＣカード１の所有者は乗車する客であり、図１２
（ａ）に示す乗車時フローチャートに移り、このＩＣカード１のＩＤが登録され
ていたら、このＩＣカード１の所有者は下車する客であるか、前回貸付を受けて
いる利用者となる。
【０１０３】
さらに、ＩＤ登録されている利用者が下車するのか、あるいは貸付を受けてい
る乗客かを判断するために、センタ１０の個人情報記憶部１０４の貸付金額記憶
部６１（図１０）の内容を読み取り（ステップＳ５０７）、その内容から貸付の
有無を判定する（ステップＳ５０８）。ここで、貸付があれば、清算処理を行な
い、それ以外の場合には、下車する利用者であるので、図１２（ｂ）に示す料金
支払のための下車時フローチャートに移る。
【０１０４】
貸付を受けている場合には、自動的に清算を行なうために、ＩＣカード１の金
額情報記憶部１４から残金をカード読み書き部９４により読み取り、回線処理部
９６，１０１を介してセンタ１０の演算処理部１０２に供給する（ステップＳ５
０９）。
【０１０５】
ここで、個人情報記憶部１０４の貸付金額記憶部６１（図１０）に記憶されて
いる貸付金額と残金との比較を行ない（ステップＳ５１０）、残高の方が大きい
か等しければ、残高より貸付金を減算し、新規の残高をＩＣカード１の金額情報
記憶部１４にカード読み書き部９４により更新する（ステップＳ５１１）ととも
に、センタ１０の個人情報記憶部１０４をリセットし、清算が終了する（ステッ
プＳ５１２）。
【０１０６】
また、残金が貸付金額より少なければ（ステップＳ５１０）、入場ゲートが電
子財布用自動改札機９のゲート制御部９７により閉められ（ステップＳ５１３）
、ＩＣカード１がカード制御部９３により排出され（ステップＳ５１４）、駅の
構内に入場することができない（ステップＳ５１５）。
【０１０７】
図１２（ａ）はこの第３の実施例での乗車時の基本処理の一具体例を示すフロ
ーチャートであり、また、図１２（ｂ）は同じく下車時の基本処理の一具体例を
示すフローチャートである。
【０１０８】
乗車する場合には、図１２（ａ）に示すように、ＩＤカード１のＩＤ番号記憶
部１１から読み取られたＩＤを、センタ１０の個人情報記憶部１０４のＩＤ番号
記憶部６０（図１０）に登録する（ステップＳ６０１）。同様に、電子財布用自
動改札機９内の駅コード記憶部９２に記憶された駅コードを乗車駅コード記憶部
１１１（図１０）に書き込む（ステップＳ６０２）。そして、ゲート制御部９７
により入場ゲートが開き（ステップＳ６０３）、カード制御部９３より電子財布
用自動改札機９からＩＣカード１が排出され（ステップＳ６０４）、入場処理が
終了する（ステップＳ６０５）。なお、この時点では、支払は行われないものと
する。
【０１０９】
下車する場合には、図１２（ｂ）に示すように、センタ１０の個人情報記憶部
１０４の乗車駅コード記憶部１１１（図１０）の内容を読み取り（ステップＳ６
０６）、同様に、電子財布用自動改札機９の駅コード記憶部９２から下車駅コー
ドを読み取る（ステップＳ６０７）。この乗車区間の料金をセンタ１０の運賃デ
ータから読み取り（ステップＳ６０８）、電子財布用改札機９の表示部９１に料
金を表示する（ステップＳ６０９）。
【０１１０】
そして、カード読み書き部９４によりＩＣカード１の金額情報記憶部１４を読
み取り、この料金との比較を行なう（ステップＳ６１０）。この結果、残金が多
い場合には通常の支払処理に入り、残金が少ない場合には、貸付処理に入る。
【０１１１】
通常の支払処理では、残金から料金を減算し（ステップＳ６１１）、その料金
をセンタ１０の売上金額記憶部１０３に加算し（ステップＳ６１２）、新規の残
金を金額情報記憶部１４に書き込む（ステップＳ６１３）。これにより支払が終
了し、ゲート制御部９７によりゲートが開いて（ステップＳ６１８）、カード制
御部９３によりＩＣカード１が電子財布用改札機９から排出され（ステップＳ６
１９）、処理が終了する（ステップＳ６２０）。
【０１１２】
また、残金が足りない場合には（ステップＳ６１０）、自動的に貸付が行なわ
れる。即ち、電子財布用改札機９の表示部９１に残金不足が表示され（ステップ
Ｓ６１４）、料金が売上金額記憶部１０３に加算される（ステップＳ６１５）。
この場合、料金全額を貸付金額にするものとする。また、センタ１０の個人情報
記憶部１０４のＩＤ番号記憶部６０（図１０）にＩＣカード１のＩＤを、貸付金
額記憶部６１（図１０）に貸付金額を、貸付日時記憶部６２（図１０）に貸付日
時を夫々書き込む（ステップＳ６１６）。これにより、貸付処理が終了してゲー
トが開き（ステップＳ６１７）、その後、ＩＣカード１が排出されて（ステップ
Ｓ６１８）処理が終了する（ステップＳ６１９）。
【０１１３】
なお、この実施例では、１回のみの貸付について述べたが、個人情報記憶部１
０４に貸付金額の上限値や返却期限または貸付回数を設定して複数回の貸付を可
能にしてもよい。また、貸付金額は料金全額にしても、料金の不足分のみにして
もよい。さらに、ＩＣカード１と電子財布用自動改札機９のデータのやり取りは
非接触にしてもよい。
【０１１４】
ここで、上記に述べたＩＣカード１内に貸付金額に相当する電子マネー情報を
格納する場合の具体例を図１３に示す。１５が貸付金額情報記憶部である。この
場合、貸付金額などの個人情報をＩＣカード内に記憶するため、電子マネー情報
のセキュリティを確保することができる。
【０１１５】
以上説明したように、本発明によれば、電子財布システムに貸付機能を付加す
ることにより、支払時に残高不足が生じた場合、従来は取引が中止になるか、あ
るいは現金やクレジットカード等の他の取引方法により支払が行なわれていたも
のを、センタやＰＯＳ端末等にＩＤ登録した個人情報として貸付金額情報を持た
せることにより、電子財布システムのみで即時に貸付処理を行ない、取引の中断
あるいは他の取引方法への切り替えを回避することが可能となる。
【０１１６】
以上により、使用者は電子財布システムのみによる商取引の完全キャッシュレ
ス化を実現することが可能である。
【図面の簡単な説明】
【０１１７】
【図１】本発明による電子財布の貸付システムの一実施例を示すブロック図である。
【図２】図１における個人情報記憶部の一具体例を示す図である。
【図３】図１に示した第１の実施例の基本処理動作の一具体例を示すフローチャートである。
【図４】図１に示した第１の実施例の基本処理動作の他の具体例を示すフローチャートである。
【図５】図１における個人情報記憶部の他の具体例を示す図である。
【図６】図１に示した第１の実施例の基本処理動作のさらに他の具体例を示すフローチャートである。
【図７】本発明による電子財布貸付システムの第２の実施例を示すブロック図である。
【図８】図７に示した第２の実施例の基本処理動作の一具体例を示すフローチャートである。
【図９】本発明による電子財布貸付システムの第３の実施例を示すブロック図である。
【図１０】図９における個人情報記憶部の一具体例を示す図である。
【図１１】図９に示した第３の実施例の基本処理動作の一具体例を示すフローチャートである。
【図１２】図１１に示したフローチャートでの乗車時，下車時での処理動作を示すフローチャートである。
【図１３】本発明による電子財布貸付システムでのＩＣカードの他の具体例を示すブロック図である。
【符号の説明】
【０１１８】
１  ＩＣカード
２  電子財布端末装置
３  センタ
４  モニタ
５  セットトップボックス
８  ＰＯＳ端末装置
９  電子財布用自動改札機
１０  センタ
１１  ＩＤ記憶部
１２  演算処理部
１３  接続部
１４  金額情報記憶部
１５  貸付金額情報記憶部
２１  表示部
２２  入力部
２３  カード制御部
２４  カード読み書き部
２５  演算処理部
２６，３１  回線制御部
３２  演算処理部
３３  売上金額記憶部
３４  個人情報記憶部
３５  データ変換部
３６  映画バンク
３７  ニュースバンク
３８  スポーツバンク
５１  データ変換部
５２  入力部
５３  回線制御部
５４  演算処理部
６０  ＩＤ番号記憶部
６１  貸付金額記憶部
６２  貸付日付記憶部
７１  上限金額記憶部
８１  表示部
８２  入力部
８３  カード制御部
８４  カード読み書き部
８５  演算処理部
８６  回線制御部
８７  売上金額記憶部
８８  個人情報記憶部
９１  表示部
９２  駅コード記憶部
９３  カード制御部
９４  カード読み書き部
９５  演算処理部
９６  回線制御部
９７  ゲート制御部
１０１  回線制御部
１０２  演算処理部
１０３  売上金額記憶部
１０４  個人情報記憶部
１０５  運賃データ記憶部
１１０  自動改札用個人情報記憶部
１１１  乗車駅コード記憶部
【図１】
2006073028.tif 000003
【図２】
2006073028.tif 000004
【図３】
2006073028.tif 000005
【図４】
2006073028.tif 000006
【図５】
2006073028.tif 000007
【図６】
2006073028.tif 000008
【図７】
2006073028.tif 000009
【図８】
2006073028.tif 000010
【図９】
2006073028.tif 000011
【図１０】
2006073028.tif 000012
【図１１】
2006073028.tif 000013
【図１２】
2006073028.tif 000014
【図１３】
2006073028.tif 000015
【手続補正書】
【提出日】平成17年10月28日(2005.10.28)
【手続補正１】
【補正対象書類名】特許請求の範囲
【補正対象項目名】全文
【補正方法】変更
【補正の内容】
【特許請求の範囲】
【請求項１】
電子マネー情報を格納する金額情報記憶部と、ＩＤ番号を格納するＩＤ番号記憶部とを有するＩＣカードと、
該ＩＣカードの情報を読み取り、または、書き込みを行なうＩＣカード読み書き手段と、該ＩＣカードのＩＤ番号と貸付のための電子マネー情報である貸付金額を記憶する個人情報記憶手段と、該個人情報記憶手段に記憶されているＩＤ番号を照合する照合手段とを有する端末装置と、から構成され、
商取引の決済を行なう際に、商取引の決済額より該ＩＣカードの電子マネー情報が小さい場合には、該端末装置の照合手段で該ＩＣカードから読み取られたＩＤ番号を照合した後、該決済額の全額あるいは一部を貸付金額として該個人情報記憶手段の貸付金額に追加し、商取引の決済額より該ＩＣカードの電子マネー情報が大きい場合には、該ＩＣカード読み書き手段によって該ＩＣカードの金額情報記憶部から商取引の決済額に相当する電子マネー情報を減額することによって商取引の決済を行なう、ことを特徴とする電子財布貸付システム。
【請求項２】
前記端末装置の前記個人情報記憶手段に既に貸付金額が記憶されている場合であって、該貸付金額が前記ＩＣカードの電子マネー情報より大きい場合には、前記ＩＣカード読み書き手段によって該ＩＣカードの金額情報記憶部から該貸付金額に相当する電子マネー情報を減額し、その後該個人情報記憶手段の貸付金額をリセットして清算することを特徴とする請求項１に記載の電子財布貸付システム。
【請求項３】
前記端末装置は、外部のセンタと通信を行なう回線制御手段を有し、必要に応じて前記個人情報記憶手段に記憶されているＩＤ番号や貸付金額などの情報を、該回線制御手段を介して該センタに送信することを特徴とする請求項１または２の何れかに記載の電子財布貸付システム。
【請求項４】
前記ＩＣカードは、前記貸付金額を記憶する記憶部を更に有することを特徴とする請求項１から３の何れかに記載の電子財布貸付システム。
【請求項５】
電子マネー情報を格納する金額情報記憶部と、ＩＤ番号を格納するＩＤ番号記憶部とを有するＩＣカードと、該ＩＣカードの情報を読み取り、または、書き込みを行なうＩＣカード読み書き手段と、該ＩＣカードのＩＤ番号と貸付のための電子マネー情報である貸付金額を記憶する個人情報記憶手段と、該個人情報記憶手段に記憶されているＩＤ番号を照合する照合手段とを有する端末装置と、から構成される電子財布貸付システムに用いられるＩＣカードであって、
商取引の決済を行なう際に、ＩＣカードの電子マネー情報が商取引の決済額より小さい場合には、該端末装置の照合手段によってＩＣカードから読み取られたＩＤ番号を照合された後、該決済額の全額あるいは一部を貸付金額として該個人情報記憶手段の貸付金額に追加され、ＩＣカードの電子マネー情報が商取引の決済額より大きい場合には、該ＩＣカード読み書き手段によってＩＣカードの金額情報記憶部から商取引の決済額に相当する電子マネー情報を減額される、ことを特徴とするＩＣカード。
【請求項６】
前記端末装置の前記個人情報記憶手段に既に貸付金額が記憶されている場合であって、該貸付金額が前記ＩＣカードの電子マネー情報より大きい場合には、前記ＩＣカード読み書き手段によって該ＩＣカードの金額情報記憶部から該貸付金額に相当する電子マネー情報を減額され、その後該個人情報記憶手段の貸付金額をリセットされて清算されることを特徴とする請求項５に記載のＩＣカード。
【請求項７】
前記ＩＣカードは、前記貸付金額を記憶する記憶部を更に有することを特徴とする請求項５または６に記載のＩＣカード。
【請求項８】
前記端末装置は、ＰＯＳ端末、運賃支払いに使用される自動改札機の何れかであることを特徴とする請求項１から４の何れかに記載の電子財布貸付システム。
【請求項９】
前記端末装置は、ＰＯＳ端末、運賃支払いに使用される自動改札機の何れかであることを特徴とする請求項５から７の何れかに記載のＩＣカード。
【請求項１０】
前記ＩＣカードは、非接触ＩＣカードであることを特徴とする請求項１から４の何れかに記載の電子財布貸付システム。
【請求項１１】
前記ＩＣカードは、非接触ＩＣカードであることを特徴とする請求項５から７の何れかに記載のＩＣカード。
【請求項１２】
前記個人情報記憶手段には更に貸付日付情報を記憶しており、商取引の決済を行なう際に、商取引の決済額より該ＩＣカードの電子マネー情報が小さい場合には、該端末装置の照合手段で該ＩＣカードから読み取られたＩＤ番号を照合した後であって、該個人情報記憶手段に既に貸付金額が記憶されているときは、現在の日付が前記個人情報記憶手段に記憶された貸付日付情報から起算した所定の返却期間内であれば該決済額の全額あるいは一部を貸付金額として該個人情報記憶手段の貸付金額に追加し、商取引の決済額より該ＩＣカードの電子マネー情報が大きい場合には、該ＩＣカード読み書き手段によって該ＩＣカードの金額情報記憶部から商取引の決済額に相当する電子マネー情報を減額することによって商取引の決済を行なうことを特徴とする請求項１に記載の電子財布貸付システム。
【請求項１３】
前記個人情報記憶手段には更に貸付回数情報を記憶しており、商取引の決済を行なう際に、商取引の決済額より該ＩＣカードの電子マネー情報が小さい場合には、該端末装置の照合手段で該ＩＣカードから読み取られたＩＤ番号を照合した後であって、該個人情報記憶手段に既に貸付金額が記憶されているときは、前記個人情報記憶手段に記憶された貸付回数情報が所定の回数以内であれば該決済額の全額あるいは一部を貸付金額として該個人情報記憶手段の貸付金額に追加し、商取引の決済額より該ＩＣカードの電子マネー情報が大きい場合には、該ＩＣカード読み書き手段によって該ＩＣカードの金額情報記憶部から商取引の決済額に相当する電子マネー情報を減額することによって商取引の決済を行なうことを特徴とする請求項１に記載の電子財布貸付システム。
【請求項１４】
電子マネー情報を格納する金額情報記憶部と、ＩＤ番号を格納するＩＤ番号記憶部とを有するＩＣカードと、
該ＩＣカードの情報を読み取り、または、書き込みを行なうＩＣカード読み書き手段と、該ＩＣカードのＩＤ番号と貸付のための電子マネー情報である貸付金額を記憶する個人情報記憶手段と、該個人情報記憶手段に記憶されているＩＤ番号を照合する照合手段とを有する端末装置と、から構成され、
商取引の決済を行なう際に、商取引の決済額より該ＩＣカードの電子マネー情報が小さい場合には、該端末装置の照合手段で該ＩＣカードから読み取られたＩＤ番号を照合した後であって、該個人情報記憶手段に既に貸付金額が記憶されているときは、該貸付金額と前記決済額との合計が所定の上限金額以内であれば、該合計を該個人情報記憶手段の貸付金額に追加して更新し、商取引の決済額より該ＩＣカードの電子マネー情報が大きい場合には、該ＩＣカード読み書き手段によって該ＩＣカードの金額情報記憶部から商取引の決済額に相当する電子マネー情報を減額することによって商取引の決済を行なう、ことを特徴とする電子財布貸付システム。